(57)【要約】【課題】自然エネルギーを利用して発電した電力を蓄電池に蓄えるとともに照明などの外部負荷に放電する独立電源装置では設置現場に出向かいないと運転状況が把握できないという課題があり、また、複数の独立電源装置を一括管理することが要求されている。【解決手段】複数の独立電源装置をネットワーク２を介してホスト３部と接続し、独立電源装置１ａおよび１ｂに設けられた各種センサー計測値および異常データをもとに、遠隔にて一括管理する。【選択図】図１
2006050777.tif 000002
【特許請求の範囲】
【請求項１】
複数の独立電源装置をネットワークを介してホスト部と接続し、前記ホスト部は、前記ネットワークを介して前記複数の独立電源装置のセンサ計測データおよび異常データをもとに前記複数の独立電源装置を一括監視制御することを特徴とする独立電源装置の遠隔管理システム。
【請求項２】
ホスト部は、ネットワークを介して複数の独立電源装置に設置された照度センサ計測値をもとに前記複数の独立電源装置に設置された照明スイッチを制御し、照明機器をＯＮ／ＯＦＦする照度制御手段を有することを特徴とする請求項１記載の独立電源装置の遠隔管理システム。
【請求項３】
ホスト部は、あらかじめ定められた点灯スケジュールに従って複数の独立電源装置に設置された照明スイッチを制御し、照明機器をＯＮ／ＯＦＦするスケジュール制御手段を有することを特徴とする請求項１記載の独立電源装置の遠隔管理システム。
【請求項４】
ホスト部は、ネットワークを介して複数の独立電源装置の過放電異常を収集し、前記複数の独立電源装置の異常を判断する過放電異常判断手段を有することを特徴とする請求項１記載の独立電源装置の遠隔管理システム。
【請求項５】
ホスト部は、ネットワークを介して複数の独立電源装置の過充電異常を収集し、前記複数の独立電源装置の異常を判断する過充電異常判断手段を有することを特徴とする請求項１記載の独立電源装置の遠隔管理システム。
【請求項６】
ホスト部は、ネットワークを介して複数の独立電源装置の蓄電池への充電量を収集し、前記複数の独立電源装置の異常を判断する充電異常判断手段を有することを特徴とする請求項１記載の独立電源装置の遠隔管理システム。
【請求項７】
ホスト部は、ネットワークを介して複数の独立電源装置の蓄電池からの放電量を収集し、前記複数の独立電源装置の異常を判断する放電異常判断手段を有することを特徴とする請求項１記載の独立電源装置の遠隔管理システム。
【請求項８】
ホスト部は、複数の独立電源装置のセンサ計測データおよび異常データを記憶する記憶手段を備え、前記記憶手段に記憶されたデータを配信する配信手段を有することを特徴とする請求項１記載の独立電源装置の遠隔管理システム。
【請求項９】
記憶手段に記憶されたデータをもとに新たなデータを作成し、前記記憶手段に記憶するデータ加工手段を付加したことを特徴とする請求項８記載の独立電源装置の遠隔管理システム。
【請求項１０】
データ加工手段は、記憶手段に記憶された独立電源装置発電量を二酸化炭素削減量に換算する二酸化炭素削減量演算手段を有することを特徴とする請求項８あるいは請求項９記載の独立電源装置の遠隔管理システム。
【発明の詳細な説明】
【技術分野】
【０００１】
本発明は、太陽光や風力などの自然エネルギーを利用して発電した電力を蓄電池に充電するとともに、照明などの外部負荷に電力を供給する独立電源装置の遠隔管理システムに関する。
【背景技術】
【０００２】
従来、この種の独立電源装置は、太陽光と風力の自然エネルギーを利用して発電した電力が多い場合はその電力を電光パネル表示器に供給し文字を表示し、余剰電力を蓄電池に充電する。また、発電した電力が少ない場合は不足分を蓄電池から供給し、電光パネル表示器に文字を表示するものが知られている（例えば、特許文献１参照）。
【０００３】
以下、その独立電源装置について図１１を参照しながら説明する。
【０００４】
図１１において、風車２の回転により発電する風力発電機の電源は三相の交流電源であり、該交流電源を充電コントローラー８により直流に変換すると共に、過充電を防止できるように制御し、太陽光を受けて発電する太陽電池４の電源は直流電源であり、該直流電源を充放電コントローラー９により太陽電池への電流の逆流を防止すると共に、過充電、過放電を防止できるように制御し、該制御して得られる前記風力発電機と太陽電池による電力を相互に補完できるように結線してバッテリー７へ入力する構成が記載されている。
【特許文献１】実用新案登録第３０５５０２８号公報
【発明の開示】
【発明が解決しようとする課題】
【０００５】
このような従来の独立電源装置では、独立電源装置の運転状況の確認を行うには設置場所に行く必要があり、離れた場所で確認できないという課題があり、運転状況を離れた場所で確認することが要求されている。
【０００６】
また、公園などでは独立電源装置を複数台設置することがあり、複数の独立電源装置を一括管理することが要求されている。
【０００７】
本発明は、このような従来の課題を解決するものであり、複数の独立電源装置を一括で管理することのできる独立電源装置の遠隔管理システムを提供することを目的としている。
【課題を解決するための手段】
【０００８】
本発明の独立電源装置は上記目的を達成するために複数の独立電源装置をネットワークを介してホスト部と接続し、前記ホスト部は、前記ネットワークを介して前記複数の独立電源装置のセンサ計測データおよび異常データをもとに前記複数の独立電源装置を一括監視制御することを特徴としたものである。
【０００９】
また、ホスト部は、ネットワークを介して複数の独立電源装置に設置された照度センサ計測値をもとに前記複数の独立電源装置に設置された照明スイッチを制御し、照明機器をＯＮ／ＯＦＦする照度制御手段を有することを特徴としたものである。
【００１０】
また、ホスト部は、あらかじめ定められた点灯スケジュールに従って複数の独立電源装置に設置された照明スイッチを制御し、照明機器をＯＮ／ＯＦＦするスケジュール制御手段を有することを特徴としたものである。
【００１１】
また、ホスト部は、ネットワークを介して複数の独立電源装置の過放電異常を収集し、前記複数の独立電源装置の異常を判断する過放電異常判断手段を有することを特徴としたものである。
【００１２】
また、ホスト部は、ネットワークを介して複数の独立電源装置の過充電異常を収集し、前記複数の独立電源装置の異常を判断する過充電異常判断手段を有することを特徴としたものである。
【００１３】
また、ホスト部は、ネットワークを介して複数の独立電源装置の蓄電池への充電量を収集し、前記複数の独立電源装置の異常を判断する充電異常判断手段を有することを特徴としたものである。
【００１４】
また、ホスト部は、ネットワークを介して複数の独立電源装置の蓄電池からの放電量を収集し、前記複数の独立電源装置の異常を判断する放電異常判断手段を有することを特徴としたものである。
【００１５】
また、ホスト部は、複数の独立電源装置のセンサ計測データおよび異常データを記憶する記憶手段を備え、前記記憶手段に記憶されたデータを配信する配信手段を有することを特徴としたものである。
【００１６】
また、記憶手段に記憶されたデータをもとに新たなデータを作成し、前記記憶手段記憶するデータ加工手段を付加したことを特徴としたものである。
【００１７】
また、データ加工手段は、記憶手段に記憶された独立電源装置発電量を二酸化炭素削減量に換算する二酸化炭素削減量演算手段を有することを特徴としたものである。
【発明の効果】
【００１８】
本発明によれば、複数の独立電源装置を遠隔一括管理できるという効果のある独立電源装置の遠隔管理システムを提供できる。
【発明を実施するための最良の形態】
【００１９】
本発明の請求項１記載の発明は、複数の独立電源装置をネットワークを介してホスト部と接続し、前記ホスト部は、前記ネットワークを介して前記複数の独立電源装置のセンサ計測データおよび異常データをもとに前記複数の独立電源装置を一括監視制御することを特徴としたものであり、独立電源装置の状態を遠隔監視するという作用を有する。
【００２０】
また、ホスト部は、ネットワークを介して複数の独立電源装置に設置された照度センサ計測値をもとに前記複数の独立電源装置に設置された照明スイッチを制御し、照明機器をＯＮ／ＯＦＦする照度制御手段を有する構成としたものであり、照明器具を一括監視制御するという作用を有する。
【００２１】
また、ホスト部は、あらかじめ定められた点灯スケジュールに従って複数の独立電源装置に設置された照明スイッチを制御し、照明機器をＯＮ／ＯＦＦするスケジュール制御手段を有する構成としたものであり、照明器具を一括監視制御するという作用を有する。
【００２２】
また、ホスト部は、ネットワークを介して複数の独立電源装置の過放電異常を収集し、前記複数の独立電源装置の異常を判断する過放電異常判断手段を有する構成としたものであり、複数の独立電源装置の過放電遷移状態を一括監視制御するという作用を有する。
【００２３】
また、ホスト部は、ネットワークを介して複数の独立電源装置の過充電異常を収集し、前記複数の独立電源装置の異常を判断する過充電異常判断手段を有する構成としたものであり、複数の独立電源装置の過充電遷移状態を一括監視制御するという作用を有する。
【００２４】
また、ホスト部は、ネットワークを介して複数の独立電源装置の蓄電池への充電量を収集し、前記複数の独立電源装置の異常を判断する充電異常判断手段を有する構成としたものであり、複数の独立電源装置の充電状況の異常を一括監視制御するという作用を有する。
【００２５】
また、ホスト部は、ネットワークを介して複数の独立電源装置の蓄電池からの放電量を収集し、前記複数の独立電源装置の異常を判断する放電異常判断手段を有する構成としたものであり、複数の独立電源装置の放電状況の異常を一括監視制御するという作用を有する。
【００２６】
また、ホスト部は、複数の独立電源装置のセンサ計測データおよび異常データを記憶する記憶手段を備え、前記記憶手段に記憶されたデータを配信する配信手段を有する構成としたものであり、複数の独立電源装置の運転状況を配信するという作用を有する。
【００２７】
また、記憶手段に記憶されたデータをもとに新たなデータを作成し、前記記憶手段記憶するデータ加工手段を付加した構成としたものであり、新しいデータを作成するという作用を有する。
【００２８】
また、データ加工手段は、記憶手段に記憶された独立電源装置発電量を二酸化炭素削減量に換算する二酸化炭素削減量演算手段を有する構成としたものであり、独立電源装置の二酸化炭素削減量寄与量を提供するという作用を有する。
【００２９】
以下、本発明の実施の形態について図面を参照しながら説明する。
【実施例】
【００３０】
（実施例１）
以下、本発明の第１の実施例による独立電源装置の遠隔監視システムについて図１〜図１０に基づいて説明する。なお、説明をより具体化するために２台の独立電源装置を一括管理する場合を例に取り説明する。
【００３１】
図１は本発明の実施例１による独立電源装置の遠隔監視システムの構成図を示している。図１に示すように、独立電源装置１ａおよび１ｂはネットワーク２を介してホスト部３に接続されている。ホスト部３は独立電源装置１ａおよび１ｂのセンサー計測データおよび異常データをもとに独立電源装置１ａおよび１ｂを一括管理している。
【００３２】
図２はホスト部３の構成図を示している。図２に示すようにホスト部３は、照度制御手段４、スケジュール制御手段５、過放電異常判断手段６、過充電異常判断手段７、充電異常判断手段８、放電異常判断手段９、記憶手段１０、配信手段１１、データ加工手段１２とから構成されている。
【００３３】
次に動作について説明する。図３〜図１０は本発明の実施例１によるホスト部３の各構成部の動作ブロック図を示している。
【００３４】
図３に示すように、照度制御手段４は独立電源装置１ａおよび１ｂに設けられた照度センサ１３ａおよび１３ｂの計測値（ＬaおよびＬb）をネットワーク２を介して監視し、ＬaおよびＬbがともにＬon以下になった場合にネットワーク２を介して独立電源装置１ａおよび１ｂに設けられた照明スイッチ１４ａおよび１４ｂをＯＮさせ照明を同時に点灯させる。また、ＬaおよびＬbがどちらかがＬoff以上になった場合にネットワーク２を介して独立電源装置１ａおよび１ｂに設けられた照明スイッチ１４ａおよび１４ｂをＯＦＦさせ照明を同時に消灯させる。ここでＬonおよびＬoffはあらかじめ設定された定数である。
【００３５】
図４に示すように、スケジュール制御手段５は現在時刻が点灯時刻（Ｔon）になった時にネットワーク２を介して独立電源装置１ａおよび１ｂに設けられた照明スイッチ１４ａおよび１４ｂをＯＮさせ照明を同時に点灯させる。また、現在時刻が消灯点灯時刻（Ｔoff）になった時にネットワーク２を介して独立電源装置１ａおよび１ｂに設けられた照明スイッチ１４ａおよび１４ｂをＯＦＦさせ照明をどう時に消灯させる。ここでＴonおよびＴoffはあらかじめ設定された定数である。
【００３６】
図５に示すように、過放電異常判断手段６は独立電源装置１ａおよび１ｂに設けられた過放電カウンタ１５ａおよび１５ｂの値（ＯＤaおよびＯＤb）をネットワーク２を介して監視し、その値がＯＤov以上になった独立電源装置を過放電異常と判断する。ここでＯＤovはあらかじめ設定された定数である。
【００３７】
図６に示すように、過充電異常判断手段７は独立電源装置１ａおよび１ｂに設けられた過充電カウンタ１６ａおよび１６ｂの値（ＯＣaおよびＯＣb）をネットワーク２を介して監視し、その値がＯＣov以上になった独立電源装置を過充電異常と判断する。ここでＯＣovはあらかじめ設定された定数である。
【００３８】
図７に示すように、充電異常判断手段８は独立電源装置１ａおよび１ｂに設けられた充電量センサ１７ａおよび１７ｂの値をネットワーク２を介して監視し、その値が片方のみゼロの場合はゼロである独立電源装置を充電異常と判断する。
【００３９】
図８に示すように、放電異常判断手段９は独立電源装置１ａおよび１ｂに設けられた放電量センサ１８ａおよび１８ｂの値をネットワーク２を介して監視し、その値が片方のみゼロの場合はゼロである独立電源装置を放電異常と判断する。
【００４０】
図９に示すように、記憶手段１０は独立電源装置１ａおよび１ｂに設けられた各種センサ（たとえば、太陽電池電圧、風力発電電圧、蓄電池電圧、蓄電池充放電電流、独立電源発電量など）の計測値をネットワーク２を介して取得し記憶する。配信手段１１は記憶手段１０に記憶さえた独立電源装置１ａおよび１ｂのデータをネットワーク２を介して配信する。データ加工手段１２は記憶手段１０記憶されたデータをもとに新たなデータを作成し記憶手段１０に記憶する。
【００４１】
図１０はデータ加工手段１２の動作の一例を示したものである。図１０において記憶手段１０に記憶された充電量センサ計測値１９ａおよび１９ｂの値をもとに二酸化炭素削減量演算手段２０にて二酸化炭素削減量に換算に記憶手段１０に記憶する。
【００４２】
このように、独立電源装置をネットワークを介して接続することにより独立電源装置の遠隔監視が可能となり設置場所に出向かなくても運転状況が把握できる。
【００４３】
また、複数の独立電源装置を一括管理することで、照明器具等の同時ＯＮ／ＯＦＦが可能となる。
【００４４】
また、各独立電源装置の運転状況の違いから独立電源装置の異常を判断することができる。
【００４５】
さらに、独立電源装置の動作状況を配信することで、どこでも独立電源装置の運転状況を確認できる。
【産業上の利用可能性】
【００４６】
本発明は、独立電源装置以外にも一般の電力線と系統連携させる発電装置の用途にも適用できる。
【図面の簡単な説明】
【００４７】
【図１】本発明の実施例１による独立電源装置の構成図
【図２】同ホスト部のブロック図
【図３】同ホスト部の照度制御手段の動作ブロック図
【図４】同ホスト部のスケジュール制御手段の動作ブロック図
【図５】同ホスト部の過放電異常判断手段の動作ブロック図
【図６】同ホスト部の過充電異常判断手段の動作ブロック図
【図７】同ホスト部の充電異常判断手段の動作ブロック図
【図８】同ホスト部の放電異常判断手段の動作ブロック図
【図９】同ホスト部の記憶手段と配信手段とデータ加工手段の動作ブロック図
【図１０】同ホスト部のデータ加工手段の動作ブロック図
【図１１】従来の独立電源装置の構成図
【符号の説明】
【００４８】
１ａ  独立電源装置
１ｂ  独立電源装置
２    ネットワーク
３    ホスト部
４    照度制御手段
５    スケジュール制御手段
６    過放電異常判断手段
７    過充電異常判断手段
８    充電異常判断手段
９    放電異常判断手段
１０  記憶手段
１１  配信手段
１２  データ加工手段
１３ａ  照度センサ
１３ｂ  照度センサ
１４ａ  照明スイッチ
１４ｂ  照明スイッチ
１５ａ  過放電カウンタ
１５ｂ  過放電カウンタ
１６ａ  過充電カウンタ
１６ｂ  過充電カウンタ
１７ａ  充電量センサ
１７ｂ  充電量センサ
１８ａ  放電量センサ
１８ｂ  放電量センサ
１９ａ  充電量センサ計測値
１９ａ  充電量センサ計測値
２０    二酸化炭素削減量演算手段
【図１】
2006050777.tif 000003
【図２】
2006050777.tif 000004
【図３】
2006050777.tif 000005
【図４】
2006050777.tif 000006
【図５】
2006050777.tif 000007
【図６】
2006050777.tif 000008
【図７】
2006050777.tif 000009
【図８】
2006050777.tif 000010
【図９】
2006050777.tif 000011
【図１０】
2006050777.tif 000012
【図１１】
2006050777.tif 000013